(57)【要約】      （修正有）【課題】エネルギー使用量を容易に計測し、要求事項を演算し、大画面に表示した上で、省エネに必要なデータを記録できるアピール性に優れたエネルギー使用量監視システムを提供する。【解決手段】複合施設１の各小区画１０から、電気、ガス、水のうち、少なくとも一つを含むエネルギー媒体の使用量に関する測定データを計測し、出力する測定データ収集手段２１と、測定データ収集手段から出力される測定データを記録し、集計し、管理する管理手段２０と、管理手段によって管理される測定データから、各小区画に送出すべき測定データを小区画別に選別し、出力する選別データ出力手段２２と、各小区画にそれぞれ設けられ、選別データ出力手段から出力される測定データを表示する表示手段２３０とを備え、小区画別に選別された測定データが、対応する小区画に設けられた表示手段２３０に表示されるエネルギー使用量監視システム２を使用する。【選択図】図１
0003165438.tif 000002
【実用新案登録請求の範囲】
【請求項１】
複数の小区画からなる複合施設の、各小区画から、電気、ガス、水のうち、少なくとも一つを含むエネルギー媒体の使用量に関する測定データを計測し、出力する測定データ収集手段と、
測定データ収集手段から出力される測定データを記録し、集計し、管理する管理手段と、
管理手段によって管理される測定データから、各小区画に送出すべき測定データを小区画別に選別し、出力する選別データ出力手段と、
各小区画にそれぞれ設けられ、選別データ出力手段から出力される測定データを表示する表示手段と
を備え、
小区画別に選別された測定データが、対応する小区画に設けられた表示手段に表示されるエネルギー使用量監視システム。
【請求項２】
測定データ収集手段、管理手段及び選別データ出力手段の少なくとも一部が、汎用の制御機器を組み合わせることにより構成される請求項１記載のエネルギー使用量監視システム。
【請求項３】
表示手段に表示される内容を、使用目的及び使用環境に応じて変更可能にした請求項２記載のエネルギー使用量監視システム。
【請求項４】
表示手段が、入力手段を備えた端末装置であり、表示される測定データの種類をリクエスト可能な請求項１から３のいずれかに記載のエネルギー使用量監視システム。
【請求項５】
表示手段が、測定データを、選別データ出力手段から無線通信回線を介して受信する移動式端末装置である請求項１から４のいずれかに記載のエネルギー使用量監視システム。
【請求項６】
測定データ収集手段と、管理手段とが、通信回線網を介して接続される請求項１から５のいずれかに記載のエネルギー使用量監視システム。
【考案の詳細な説明】
【技術分野】
【０００１】
本考案は、建築物において使用されるエネルギー使用量を計測、演算、表示、記録するシステムに関する。
【背景技術】
【０００２】
従来のエネルギー使用量監視システムは、建物管理者がデータ収集を目的として使用するものである。（例えば、特許文献１参照）
【先行技術文献】
【特許文献】
【０００３】
【特許文献１】特開２００４−１７０３１０号公報
【考案の概要】
【考案が解決しようとする課題】
【０００４】
しかしながら、以上の技術によれば、建物管理者以外の者、例えば、建物利用者などの個人がエネルギー使用量を把握することができず、省エネルギー意識を高めることができない。
そこで、この実用新案は、エネルギー使用量を容易に計測し、要求事項を演算し、大画面に表示した上で、省エネに必要なデータを記録できるアピール性に優れたエネルギー使用量監視システムを提供することを課題とする。
【課題を解決するための手段】
【０００５】
以上の課題を解決するために、請求項１記載の考案に係るエネルギー使用量監視システムは、
複数の小区画からなる複合施設の、各小区画から、電気、ガス、水のうち、少なくとも一つを含むエネルギー媒体の使用量に関する測定データを計測し、出力する測定データ収集手段と、
測定データ収集手段から出力される測定データを記録し、集計し、管理する管理手段と、
管理手段によって管理される測定データから、各小区画に送出すべき測定データを小区画別に選別し、出力する選別データ出力手段と、
各小区画にそれぞれ設けられ、選別データ出力手段から出力される測定データを表示する表示手段と
を備え、
小区画別に選別された測定データが、対応する小区画に設けられた表示手段に表示されることを特徴とする。
【０００６】
また、請求項２に係る考案は、請求項１に係る考案において、
測定データ収集手段、管理手段及び選別データ出力手段の少なくとも一部が、汎用の制御機器を組み合わせることにより構成される。
【０００７】
また、請求項３に係る考案は、請求項２に係る考案において、
表示手段に表示される内容を、使用目的及び使用環境に応じて変更可能にしたことを特徴とする。
【０００８】
また、請求項４に係る考案は、請求項１から３のいずれかに係る考案において、
表示手段が、入力手段を備えた端末装置であり、表示される測定データの種類をリクエスト可能にすることを特徴とする。
【０００９】
また、請求項５に係る考案は、請求項１から４のいずれかに係る考案において、
表示手段が、測定データを、選別データ出力手段から無線通信回線を介して受信する移動式端末装置であることを特徴とする。
この無線通信回線としては、例えば、Ｗｉ−Ｆｉ（登録商標）のような無線ＬＡＮ機器間の相互接続性の認証システムを利用することが可能である。
【００１０】
また、請求項６に係る考案は、請求項１から５のいずれかに係る考案において、
測定データ収集手段と、管理手段とが、通信回線網を介して接続されることを特徴とする。
【考案の効果】
【００１１】
請求項１に係る考案によれば、エネルギー媒体の使用量に関する測定データを各小区画の利用者に対して提供できるようになるため、各小区画の利用者の省エネルギー意識を高めることが可能になり、省エネルギー化を効果的に促進されるようになる。
【００１２】
また、請求項２に係る考案によれば、高価な中央監視設備を導入することなくエネルギー使用量を計測・演算できるようになり、省エネルギーに対する機器の費用対効果を高め、現在、省エネルギーへの対応について懸念となっているエネルギー使用密度は薄いが、膨大な管理面積を有する事務所ビルなどの省エネルギー対策に絶大な効果を有する。
【００１３】
また、請求項３に係る考案によれば、用途に合わせ、構成を安価に組み直すことによって表示すべき計測データの内容を容易に変更できるようになる。
このことは、多種多様な産業用設備分野において各種計測値の合算や環境負荷のない電力（太陽電池など）の不算入など、導入されている設備機器に対し最適なシステムを構築することを容易にする。
【００１４】
また、請求項４に係る考案によれば、使用量などの表示により、省エネルギー意識が高まった中で、さらに省エネルギー実現のための解析を行うなどのために過去の計測データを参照したい場合、端末装置側のリクエストに従って、所要の計測データを即座に表示可能になる。
【００１５】
また、請求項５に係る考案によれば、表示手段の設置のための大掛かりな回線工事を行うことなしに、各小区画に対し、計測データを提供できるようになると共に、表示手段を各小区画の担当者に配布したときには、各担当者は、担当者自身の居場所に縛られることなく自己の担当区画の計測データを参照できるようになり、効率的なデータ利用ができるようになる。
【００１６】
また、請求項６に係る考案によれば、
これにより、例えば、東京本社にいる省エネルギーの中央管理者と、沖縄営業所にいる省エネルギーの現地担当者が、同時に使用エネルギーを管理することを可能とし、様々な地域に散らばる拠点を一括管理することにより、中央管理者と現地担当者が同時に管理情報を共有できるようになり、非常に効果的に省エネルギー対策を講じることができるようになる。
【図面の簡単な説明】
【００１７】
【図１】図１は本考案に係るエネルギー使用量監視システムの一実施例の構成を示す説明図である。
【考案を実施するための形態】
【００１８】
本考案では、小区画別に選別された測定データが、対応する小区画に設けられた表示手段に表示されるようにすることにより、エネルギー媒体の使用量に関する測定データを各小区画の利用者に対して提供できるようになるため、各小区画の利用者の省エネルギー意識を高めることを可能にし、省エネルギー化を効果的に促進することを実現した。
【実施例１】
【００１９】
図１に基づき、実施例１について説明する。
図１は、本考案に係るエネルギー使用量監視システムの一実施例の構成を示す説明図である。
【００２０】
図中、１は複合施設、１０、１１、１ｎは小区画、２は本考案に係るエネルギー使用量監視システム、２０は管理手段、２１は測定データ収集手段、２２は選別データ出力手段、２３０、２３１、２３ｎは表示装置、３０は分電盤、３０１は変流器、３０２は積算電力量計、３１は室内温湿度センサ、３２はガス使用量測定器、３３は水道使用量測定器、３４は気象センサ、３５は使用熱量測定器である。
【００２１】
複合施設１は、内部に複数の小区画を有する。
この複合施設１は、例えば、オフィスビル、複合商業施設、電算センター等であり、小区画１０〜１ｎは、例えば、複合施設１内のテナントである。
エネルギー使用量監視システム２は、管理手段２０、測定データ収集手段２１、選別データ出力手段２２を備える。
なお、本考案の特徴を簡潔に説明するため、同様のシステムでは一般的な構成、例えば、このシステムを制御するための入力手段や、システム全体の管理のために必要な情報を表示する表示手段、データの送受信に用いられるインターフェースについては、その記載及び説明を省略した。
【００２２】
管理手段２０は、このエネルギー使用量監視システム２の作動を制御すると共に、後述する測定データ収集手段２１から出力された測定データを記録し、集計し、管理する。
測定データ収集手段２１は、管理手段２０に測定データを出力し得るように設けられる。
また、この測定データ収集手段２１には、分電盤３０、室内温湿度センサ３１、ガス使用量測定器３２、水道使用量測定器３３、気象センサ３４、使用熱量測定器３５等の機器が接続される。
測定データ収集手段２１は、これらの機器から得られた測定データを収集し、管理手段２０に出力する。
この測定データとしては、具体的には、ＰＵＥ（Power Usage Effectiveness）、積算電力量、ＣＯ２排出量等が挙げられる。
【００２３】
選別データ出力手段２２は、管理手段２０によって管理される測定データから、各小区画１０〜１ｎに送出すべき測定データを小区画別に選別し、出力する。
表示手段２３０〜２３ｎは、各小区画１０〜１ｎにそれぞれ設けられるものであり、小区画１０〜１ｎ別に選別された測定データが、対応する小区画に設けられた表示手段２３０〜２３ｎにそれぞれ表示される。
【００２４】
このうち、表示手段２３０は、入力装置を備えた端末装置であり、選別データ出力手段２２とオンライン接続される。
この接続方法としては、例えば、専用回線、ＶＰＮ接続、ＬＡＮ回線、インターネット回線を利用した接続が挙げられる。
この表示手段２３０は、予め定められた規則に従って選別データ出力手段２２側で演算して得られた測定データを表示するだけではなく、入力手段を介して、所要の測定データをリクエストすることができ、表示手段２３０側から選別データ出力手段２２にリクエストされた条件に基づいて選別された測定データが表示される。
【００２５】
また、別の表示手段２３１は、携帯型タッチパネルを介した入力操作が可能な携帯端末装置であり、通信回線網４を介し、無線接続される。
この表示手段２３１は、小区画１１への設置に関する回線の接続工事が不要であり、導入コストを低く抑えることができる上、この表示手段２３１を携行すれば、小区画１１の外部からでも、小区画１１に必要な測定データを得ることができる。
【００２６】
分電盤３０は、電流要素を測定するための変流器３０１、積算電力量計３０２を備え、小区画１０〜１ｎ別の、電流要素、電圧要素及び積算電力量に関する計測データを測定データ収集手段２１に出力する。
なお、図１中の分電盤３０の三本の出力ラインのうち、最上段の出力ラインから電流要素が、中段の出力ラインから電圧要素が、最下段の出力ラインから積算電力量のデータが出力される。
室内温湿度センサ３１は、各小区画１０〜１ｎの室内温度及び湿度を計測し、その計測データを測定データ収集手段２１に出力する。
【００２７】
ガス使用量測定器３２は、いわゆるガスメータであり、各小区画１０〜１ｎのガス使用量を計測し、その計測データを測定データ収集手段２１に出力する。
水道使用量測定器３２は、いわゆる水道メータであり、各小区画１０〜１ｎの水道使用量を計測し、その計測データを測定データ収集手段２１に出力する。
気象センサ３４は、複合施設１の外部の気温、湿度、風向、風力、降水量を計測し、その計測データを測定データ収集手段２１に出力する。
使用熱量測定器３５は、水温や気温の温度差、流量、風量、比熱などから熱量を計測し、その計測データを測定データ収集手段２１に出力する。
【００２８】
次に、上記のエネルギー使用量監視システムの動作について説明する。
管理手段２０は、予め定められた時機、例えば、所定時刻到達時、所定時間ごと、表示手段からリクエストがあったとき等に、選別データ出力手段２２に、測定データの選別及び出力の実行を指示する。
【００２９】
選別データ出力手段２２は、管理手段２０からの指示に従い、予め定められた演算規則に従い、管理手段２０に管理されている計測データを演算処理し、各測定データに対応する小区画１０〜１ｎの表示手段２３０〜２３ｎに、それぞれ出力する。
各表示手段２３０〜２３ｎは、選別データ出力手段２２から入力した測定データを表示し、表示手段２３０〜２３ｎの利用者に、測定データを提供する。
利用者は、表示された測定データに基づいて、エネルギー消費量の適否を判断し、このデータを消費量の減少の対策のために利用する。
【００３０】
上記の考案によると、エネルギー媒体の使用量に関する測定データを各小区画の利用者に対して提供できるようになるため、各小区画の利用者の省エネルギー意識を高めることが可能になり、省エネルギー化を効果的に促進されるようになる。
また、表示手段側で必要となった計測データについて、表示手段側から所望の計測データをリクエストできるので、使用量などの表示により、省エネルギー意識が高まった中で、さらに省エネルギー実現のための解析を行うなどのために過去の計測データを参照したい場合、表示手段側のリクエストに従って、所要の計測データを即座に表示可能になる。
【００３１】
また、無線回線を介して、データの出入力がされるときには、表示手段の設置のための大掛かりな回線工事を行うことなしに、各小区画に対し、計測データを提供できるようになると共に、表示手段を各小区画の担当者に配布したときには、各担当者は、担当者自身の居場所に縛られることなく自己の担当区画の計測データを参照できるようになり、効率的なデータ利用ができるようになる。
また、このような場合、遠隔地からでも自己の担当区画の計測データを参照できるようにもなる。
【００３２】
なお、上記の実施例において、測定データ収集手段、管理手段及び選別データ出力手段の少なくとも一部は、汎用の制御機器を組み合わせることにより構成することが推奨される。
これにより、高価な中央監視設備を導入することなくエネルギー使用量を計測・演算できるようになり、省エネルギーに対する機器の費用対効果を高め、現在、省エネルギーへの対応について懸念となっているエネルギー使用密度は薄いが、膨大な管理面積を有する事務所ビルなどの省エネルギー対策に絶大な効果を有するようになる。
【００３３】
また、上記の実施例において、表示手段に表示される内容を、使用目的及び使用環境に応じて変更可能にすることが推奨される。
この変更は、管理手段側で行っても、表示手段側で行ってもよい。
これにより、用途に合わせ、構成を安価に組み直し、表示すべき計測データの内容を容易に変更できるようになり、多種多様な産業用設備分野において各種計測値の合算や環境負荷のない電力（太陽電池など）の不参入、電算センター特有のＰＵＥの算出、熱源のシステムＣＯＰ（熱源機器が消費するエネルギー量に対する熱源が生成する冷温熱量の比を示す成績係数）など、導入されている設備機器に対し最適なシステムを構築することを容易にする。
【００３４】
また、上記の実施例において、測定データ収集手段と、管理手段とが、通信回線網を介して接続されるようにしてもよい。
これにより、複数の小区画によって構成される複合施設の遠隔地に管理手段が設けられた管理施設で、各小区画におけるエネルギー使用量を一括して集計、演算、管理できるようになる。
【００３５】
また、上記の実施例では、表示手段は、入力手段を有する端末装置としたが、単なる表示機能のみを有する表示手段でもよく、表示内容は、管理手段側で選択、制御するようにしてもよい。
また、表示手段としては、携帯電話や、無線通信機を介した受信器を使用してもよい。
また、表示手段には、表示手段が設けられた小区画に関連する計測データを表示するが、例えば、システム全体の管理者又は表示手段の利用者のリクエストに応じ、他の小区画に関連する計測データを表示できるようにしてもよい。
【００３６】
また、複合施設は、１棟の構造物に限定されるものではなく、複数の建造物を一つの複合施設としたり、遠隔地に点在する施設を総合して一つの複合施設として取り扱うようにしてもよい。
また、表示手段の画面は、複数の担当者で閲覧することが想定される場合や、管理手段側に設けられる場合には、大画面のものとし、利用者の利便性を高めてもよい。
なお、本考案は、本考案の範囲内で自由に設計変更し得るものであり、上記実施例に限定されるものではない。
【産業上の利用可能性】
【００３７】
本考案は、複合施設のテナント側で、エネルギー媒体の使用量に関する計測データを参照して、エネルギー媒体の利用者自身の省エネルギー意識を高めることが可能になり、エネルギー媒体の使用量の抑制、及び、利用者の利便性の向上の点で利用可能性が高い。
【符号の説明】
【００３８】
１        複合施設
１０      小区画
１１      小区画
１ｎ      小区画
２        エネルギー使用量監視システム
２０      管理手段
２１      測定データ収集手段
２２      選別データ出力手段
２３０    表示装置
２３１    表示装置
２３ｎ    表示装置
３０      分電盤
３０１    変流器
３０２    積算電力量計
３１      室内温湿度センサ
３２      ガス使用量測定器
３３      水道使用量測定器
３４      気象センサ
３５      使用熱量測定器
【図１】
0003165438.tif 000003